(57)【特許請求の範囲】
【請求項１】
顧客の情報記録媒体から画像情報を読み取る手段と、
楽曲音声情報の格納場所を選択可能に明示する手段と、
読み取った前記画像情報と、選択された前記楽曲音声情報と、コンピュータを、表示手段により前記画像情報を基にした画像をスライド表示させ、かつスピーカーにより前記スライド表示と同時に楽曲音声情報を基にした楽曲音声を発声させる手段として機能させるスライドショープログラムと、コンピュータを、前記画像情報と前記楽曲音声情報と前記スライドショープログラムとこれらの関連付け情報とをセット情報として出力する手段として機能させるセット出力プログラムと、を出力する手段と、を備えることを特徴とする画像音声記録端末。
【請求項２】
顧客の情報記録媒体から画像情報を読み取る手段と、
読み取った前記画像情報と、コンピュータを、楽曲音声情報の格納場所を選択可能に明示し、選択された前記楽曲音声情報を取得する手段として機能させる楽曲取得プログラムと、コンピュータを、表示手段により前記画像情報を基にした画像をスライド表示させ、かつスピーカーにより前記スライド表示と同時に楽曲音声情報を基にした楽曲音声を発声させる手段として機能させるスライドショープログラムと、コンピュータを、前記画像情報と前記楽曲音声情報と前記スライドショープログラムとこれらの関連付け情報とをセット情報として出力する手段として機能させるセット出力プログラムと、を出力する手段と、を備えることを特徴とする画像音声記録端末。
【請求項３】
前記関連付け情報は、スライドショーに使用される前記画像情報及び前記楽曲音声情報のパス情報、スライド間隔、スライド効果、スライド表示順のいずれか一の情報を含むことを特徴とする請求項１又は２記載の画像音声記録端末。
【請求項４】
画像情報と、
楽曲音声情報と、
コンピュータを、表示手段により画像情報を基にした画像をスライド表示させ、かつスピーカーにより前記スライド表示と同時に楽曲音声情報を基にした楽曲音声を発声させる手段として機能させるスライドショープログラムと、
コンピュータを、前記画像情報と前記楽曲音声情報と前記スライドショープログラムとこれらの関連付け情報とをセット情報として出力する手段として機能させるセット出力プログラムと、が記録されていることを特徴とする情報記録媒体。
【請求項５】
顧客が提供した画像情報と、
コンピュータを、楽曲音声情報の格納場所を選択可能に明示し、選択された前記楽曲音声情報を取得する手段として機能させる楽曲取得プログラムと、
コンピュータを、表示手段により前記画像情報を基にした画像をスライド表示させ、かつスピーカーにより前記スライド表示と同時に楽曲音声情報を基にした楽曲音声を発声させる手段として機能させるスライドショープログラムと、
コンピュータを、前記画像情報と前記楽曲取得プログラムと前記スライドショープログラムとこれらの関連付け情報とをセット情報として出力する手段として機能させるセット出力プログラムと、が記録されていることを特徴とする情報記録媒体。
【請求項６】
前記関連付け情報は、スライドショーに使用される前記画像情報及び前記楽曲音声情報のパス情報、スライド間隔、スライド効果、スライド表示順のいずれか一の情報を含むことを特徴とする請求項４又は５に記載の情報記録媒体。
【発明の詳細な説明】
【０００１】
【発明の属する技術分野】
本発明は、画像情報と楽曲音声情報とを用いたスライドショーを実現する画像音声記録端末及び情報記録媒体並びにプログラムに関する。
【０００２】
【従来の技術】
近年、カメラで撮影した写真をデジタル画像情報として取り扱う顧客が増えている。例えば、デジタルカメラでは、情報記録媒体に記憶された画像情報をパソコン等のコンピュータ端末で読み込み、パソコンにインストールされた画像表示ソフトで再生することにより気軽に写真を閲覧することができる。
【０００３】
また、フィルムカメラで撮影した写真をデジタル画像情報に変換するサービスも行われており、例えば、ラボ等のフォトサービス店舗やコンビニエンスストア（以下、コンビニと略す。）等の注文店舗に撮影したネガフィルムを持ち込むと、フォトサービス店舗では、ネガフィルムを現像した後、スキャナ等でデジタルデータとして読み取り、読み取った画像情報をＣＤ−Ｒ等の情報記録媒体に書き込むといったサービスが行われている。
【０００４】
そして、画像情報が書き込まれたＣＤ−Ｒ等の情報記録媒体を受け取った顧客は、自宅のパソコン等のコンピュータ端末を用いて再生することによりネガフィルムに記録された写真画像をパソコン上で閲覧することができ、デジタルカメラを所有していない顧客であっても、写真をデジタル画像情報として取り扱うことができる。
【０００５】
【発明が解決しようとする課題】
しかしながら、上述した従来のデータ変換サービスは、ネガフィルムに記録された写真から読み取った画像情報を情報記録媒体に書き込むのみであり、既存の電子アルバムソフトやスライドショーソフトを利用しても、単に画像情報が顧客の指定した順番で表示されるのみであり、効果的なスライドショーを実現することができない。
【０００６】
一方、近年、楽曲音声情報もデジタルデータとして取り扱われるようになってきており、パソコンにも楽曲音声情報を再生できる機能が付加され、音楽が楽しめるようになってきている。又、スライドショーのＢＧＭとして楽曲音声情報を再生するソフトも提供されているが、従来のソフトは、予めパソコンに記録されている楽曲音声情報を再生するものであるため、顧客は画像情報に適合した好みの楽曲を選択することができない。
【０００７】
そこで、好みの楽曲をＢＧＭとして再生するには、楽曲音声情報のみが記録されているＣＤ等を購入したり、インターネット等を介して楽曲音声情報をサーバーからダウンロードすることになるが、その場合は、スライドショーとは別に、予め楽曲音声情報を取得して所定の場所に記憶し、スライド表示される画像情報との対応付けを行うといった作業が必要であり、気軽にスライドショーを利用することができない。
【０００８】
本発明は、上記問題点に鑑みてなされたものであって、その主たる目的は、スライドショーにおける一連の操作として、楽曲音声情報の取得や、スライドショーに必要なデータやプログラムをセットで出力することができる画像音声記録端末及び情報記録媒体並びにプログラムを提供することにある。
【０００９】
【問題を解決するための手段】
上記目的を達成するため、本発明の画像音声記録端末は、顧客の情報記録媒体から画像情報を読み取る手段と、楽曲音声情報の格納場所を選択可能に明示する手段と、読み取った前記画像情報と、選択された前記楽曲音声情報と、コンピュータを、表示手段により前記画像情報を基にした画像をスライド表示させ、かつスピーカーにより前記スライド表示と同時に楽曲音声情報を基にした楽曲音声を発声させる手段として機能させるスライドショープログラムと、コンピュータを、前記画像情報と前記楽曲音声情報と前記スライドショープログラムとこれらの関連付け情報とをセット情報として出力する手段として機能させるセット出力プログラムと、を出力する手段と、を備えるものである。
【００１０】
また、本発明の画像音声記録端末は、顧客の情報記録媒体から画像情報を読み取る手段と、読み取った前記画像情報と、コンピュータを、楽曲音声情報の格納場所を選択可能に明示し、選択された前記楽曲音声情報を取得する手段として機能させる楽曲取得プログラムと、コンピュータを、表示手段により前記画像情報を基にした画像をスライド表示させ、かつスピーカーにより前記スライド表示と同時に楽曲音声情報を基にした楽曲音声を発声させる手段として機能させるスライドショープログラムと、コンピュータを、前記画像情報と前記楽曲音声情報と前記スライドショープログラムとこれらの関連付け情報とをセット情報として出力する手段として機能させるセット出力プログラムと、を出力する手段と、を備えるものである。
【００１１】
本発明においては、前記関連付け情報は、スライドショーに使用される前記画像情報及び前記楽曲音声情報のパス情報、スライド間隔、スライド効果、スライド表示順のいずれか一の情報を含むことが好ましい。
【００１４】
また、本発明の情報記録媒体は、画像情報と、楽曲音声情報と、コンピュータを、表示手段により前記画像情報を基にした画像をスライド表示させ、かつスピーカーにより前記スライド表示と同時に楽曲音声情報を基にした楽曲音声を発声させる手段として機能させるスライドショープログラムと、コンピュータを、前記画像情報と前記楽曲音声情報と前記スライドショープログラムとこれらの関連付け情報とをセット情報として出力する手段として機能させるセット出力プログラムとが記録されているものである。
【００１６】
また、本発明の情報記録媒体は、顧客が提供した画像情報と、コンピュータを、楽曲音声情報の格納場所を選択可能に明示し、選択された前記楽曲音声情報を取得する手段として機能させる楽曲取得プログラムと、コンピュータを、表示手段により前記画像情報を基にした画像をスライド表示させ、かつスピーカーにより前記スライド表示と同時に楽曲音声情報を基にした楽曲音声を発声させる手段として機能させるスライドショープログラムと、コンピュータを、前記画像情報と前記楽曲取得プログラムと前記スライドショープログラムとこれらの関連付け情報とをセット情報として出力する手段として機能させるセット出力プログラムと、が記録されているものである。
【００１９】
このように、本発明の構成によれば、ラボ等のフォトサービス店舗で顧客が提供したフィルムや情報記録媒体から画像情報を読み取り、スライドショープログラムと楽曲取得プログラムとセット出力プログラムと共に情報記録媒体に書き込んで顧客に提供することにより、情報記録媒体を受け取った顧客は、スライドショーの一連の操作として、好みの楽曲音声情報の取得や、画像情報、楽曲音声情報、スライドショープログラム、関連付けファイルをセットで出力することができ、楽曲音声情報のみを別途調達したり、画像情報や楽曲音声情報の関連付けを行うことなく効果的なスライドショーを実行することができる。
【００２０】
また、コンビニ等の注文店舗に画像音声記録端末を設置し、この端末で顧客が持ち込んだ情報記録媒体やプリントから画像情報を読み取り、顧客に楽曲音声情報を選択させて、読み取った画像情報と顧客が選択した楽曲音声情報とスライドショープログラムとセット出力プログラムとを情報記録媒体に書き込むことによっても、楽曲音声情報のみを別途調達したり、画像情報や楽曲音声情報の関連付けを行うことなく効果的なスライドショーを実行することができる。
【００２１】
【発明の実施の形態】
本発明に係る情報記録媒体は、その好ましい一実施の形態において、コンピュータを、楽曲音声情報の格納場所を選択可能に明示し、選択された楽曲音声情報を取得する手段として機能させる楽曲取得プログラムと、コンピュータを、画像情報と楽曲音声情報とを同期させてスライド表示させる手段として機能させるスライドショープログラムと、コンピュータを、画像情報と楽曲音声情報とスライドショープログラムとこれらの関連付け情報とをセット情報として出力する手段として機能させるセット出力プログラムとが記録されているものであり、楽曲取得プログラムにより楽曲音声情報の取得を簡単に行うことができ、セット出力プログラムにより、効果的なスライドショーを実行できる情報記録媒体を作成することができる。
【００２２】
【実施例】
上記した本発明の実施の形態についてさらに詳細に説明すべく、本発明の実施例について図面を参照して説明する。
【００２３】
［実施例１］
まず、本発明の第１の実施例に係る画像音声記録システム、画像音声記録方法及び専用アプリケーションプログラム並びに情報記録媒体について、図１乃至図８を参照して説明する。図１は、第１の実施例に係る画像音声記録システムの構成を示す図であり、図２は、画像音声記録方法の手順を示すフローチャート図である。また、図３乃至図６は、顧客のコンピュータ端末に表示される画面を例示する図であり、図７及び図８は、本実施例の画像音声記録システム利用されるデータ及びプログラムのフォルダー構造の例を示す図である。
【００２４】
図１に示すように、本実施例の画像音声記録システム１ａは、未現像ネガフィルム６を提供する顧客２と、未現像ネガフィルム６から画像情報を読み取り、画像情報と専用アプリケーションプログラムとが記録された情報記録媒体５を作成するラボ４と、顧客２とラボ４とを仲介するコンビニ等の注文店舗３とからなる。また、顧客２は情報記録媒体５に記録された専用アプリケーションプログラムを実行するコンピュータ端末２ａを有し、このコンピュータ端末２ａは通信ネットワーク９を介して楽曲音声情報を配信するサーバー８に接続され、コンピュータ端末２ａで新たに作成された再生専用情報記録媒体５ａが他の顧客１０に提供される。
【００２５】
また、ラボ４には、顧客２から提供された未現像ネガフィルム６を現像する現像装置４ａと、現像したネガフィルムを読み取ってデジタルデータに変換する読み取り装置４ｂと、情報記録媒体５に画像情報や専用アプリケーションプログラムを書き込む書き込み装置４ｃと、専用アプリケーションプログラムを記憶する記憶装置４ｄとを備えている。上記各装置は別々に構成されていてもよく、２以上の組み合わせ、例えば、現像装置４ａと読み取り装置４ｂ、読み取り装置４ｂと書き込み装置４ｃ等が一体的に構成されていてもよい。更に、ラボ４に、読み取り装置４ｂで読み取った画像情報を基にして、通常のプリントを作成するプリンタを設けてもよい。このプリンタとしては、特に種類を問わず、インクジェットタイプ、電子写真タイプ、銀塩タイプ等種々のものを用いることができる。
【００２６】
なお、以下では、コンビニ等の注文店舗３で情報記録媒体５の注文を行う場合を例にして説明するが、注文店舗としてはコンビニに限らず、顧客２からのフィルムの現像、プリントの依頼を受注する任意の店舗でよい。また、コンビニ等の注文店舗３を介さずに顧客２が直接ラボ４に情報記録媒体５の注文を行う構成としても良い。また、顧客２は画像情報を未現像ネガフィルム６として提供する場合を主に説明するが、現像済みのネガフィルムやポジフィルム（現像済みでも未現像でも可）、プリントとして提供しても良く、デジタルカメラで撮影した画像情報が記録されたコンパクトフラッシュ（登録商標）やスマートメディア、メモリースティック（登録商標）、マルチメディアカード、ＳＤメモリーカードなどのメモリーカードやＣＤ−Ｒ、ＣＤ−ＲＷ、ＤＶＤ−Ｒ、ＤＶＤ−ＲＷ、ＤＶＤ−ＲＡＭ、ＤＶＤ＋ＲＷ、ＭＯ、ＺＩＰなどの情報記録媒体を提供してもよい。
【００２７】
上記構成の画像音声記録システム１ａを用いて、顧客２が注文店舗３に未現像ネガフィルム６を持ち込んでから、画像情報と専用アプリケーションプログラムとが一緒に書き込まれた情報記録媒体５を入手し、楽曲音声情報の取得、スライドショーに必要なデータ及びプログラムをセットで出力するまでの手順について、図２のフローチャート図を参照して説明する。
【００２８】
まず、ステップＳ１０１において、顧客２はフィルムカメラで撮影した未現像ネガフィルム６をコンビニ等の注文店舗３に持ち込み（図１の▲１▼）、注文店舗３は未現像ネガフィルム６をラボ４に送る（図１の▲２▼）。この未現像ネガフィルム６に記録されている写真画像は顧客自らが撮影したものであっても良く、他の顧客が撮影したものでも良い。
【００２９】
次に、ステップＳ１０２において、ラボ４では、現像装置４ａを用いて未現像ネガフィルム６を現像し、現像したネガフィルムをスキャナ等の読み取り装置４ｂを用いてデジタルデータに変換する。また、画像情報を現像済みのネガフィルムとして受け取った場合は、現像工程を省略して読み取り装置４ｂを用いてデジタルデータに変換する。
【００３０】
そして、ステップＳ１０３において、読み取り装置４ｂで読み取った画像情報又は顧客２が提供した情報記録媒体から読み込んだ画像情報と専用アプリケーションプログラム（スライドショープログラム、楽曲取得プログラム、セット出力プログラム）とを書き込み手段４ｃを用いてコンピュータで読み取り可能な状態で情報記録媒体５に書き込む。この情報記録媒体５としてはコンピュータ端末で読み取り可能なＣＤ−Ｒ、ＤＶＤ−Ｒ、ＭＯ等の任意の媒体を用いることができるが、多くのコンピュータ端末で読み取り可能で価格が安いことを考慮するとＣＤ−Ｒが好適である。
【００３１】
なお、情報記録媒体５への書き込みの順番は任意であり、画像情報を先に、又は専用アプリケーションプログラムを先に書き込んでもよく、ラボ４でネガフィルムをスキャンして画像情報を得る場合は、このスキャンの工程が終わるのを待たずに先に専用アプリケーションプログラムの書き込みを開始した方が、生産性の向上の上で好ましい。また、必要に応じて、情報記録媒体５に楽曲音声情報を書き込んでもよい。
【００３２】
その後、ステップＳ１０４において、ラボ４は画像情報と専用アプリケーションプログラムとを記録した情報記録媒体５と現像済みネガフィルム７とを注文店舗３に送付し（図１の▲３▼）、注文店舗３から顧客２に提供する（図１の▲４▼）。
【００３３】
次に、注文店舗３から情報記録媒体５を入手した顧客２は、ステップＳ１０５で顧客２が保有するコンピュータ端末２ａに情報記録媒体５を挿入して、専用アプリケーションプログラムを自動で又は手動で動作させる。なお、コンピュータ端末２ａは顧客２が保有する端末に限らず、通信ネットワーク９に接続されている任意のコンピュータ端末を用いることができる。
【００３４】
上記専用アプリケーションプログラムには、画像情報と楽曲音声情報とを関連付けて再生するスライドショープログラムと、スライドショーで演奏される楽曲音声情報の取得を可能とする楽曲取得プログラムと、顧客２が提供した画像情報と取得した楽曲音声情報とスライドショープログラムとこれらの関連付けファイルとをセットにしてハードディスク等の記憶手段や他の情報記録媒体に保存したり電子メールに添付して送信するセット出力プログラムとが含まれており、これらのプログラムは単体として動作させてもよく、電子アルバムプログラムとして一体となって動作させてもよい。なお、以下の説明では、スライドショープログラムによりコンピュータで実現されるスライドショーの一部に、楽曲取得プログラムにより実現される楽曲音声情報の取得とセット出力プログラムにより実現されるセット出力とが含まれる形態について説明する。
【００３５】
まず、専用アプリケーションプログラム（スライドショープログラム）を動作させると、コンピュータ端末２ａには図３に示すような画像一覧表示画面１２が表示される。この画像一覧表示画面１２には、例えば、各々の未現像ネガフィルム６のコマ画像情報１３ａが集合した画像情報群１３と、選択した画像情報群１３やコマ画像情報１３ａに対して施す処理を明示したスイッチ１４ａ〜１４ｆとが表示される。そして、顧客２が画像情報群１３の中から処理を希望する画像情報群１３を選択すると、選択した画像情報群１３を構成するコマ画像情報１３ａが縮小配列されたアルバムが表示される。
【００３６】
そして、顧客２がスライドショー、電子メール、画像加工、保存、呼び出し、プリント等の処理を選択し、対応するスイッチ１４ａ〜１４ｆをマウスでクリックすると、各々の処理に対応した画面が表示されて処理を実行することができる。例えば、「電子メール」を選択すると、電子メールに添付する画像情報のサイズの指定や、電子メールの入力画面が表示され、選択した画像情報が添付された電子メールを指定したアドレスに送信することができ、「画像加工」を選択すると、明るさ調整や色調整等を行うことができ、「保存」を選択すると、指定したディレクトリーに選択した画像情報を保存することができる。また、「呼び出し」を選択すると、保存した画像情報を呼び出すことができ、「プリント」を選択すると、指定されたプリンタに選択した画像情報を印刷することができる。なお、これらの処理はスライドショープログラムによりコンピュータで実行される処理の一例である。
【００３７】
また、「スライドショー」を選択すると、図４に示すようなスライドショー編集画面１５が表示される。このスライドショー編集画面１５には、選択した画像情報群１３のコマ画像情報１３ａに加えて、スライドショーにおけるスライド間隔やスライド効果等を設定するスライドショー設定領域１５ａと、スライドショーに際して演奏される楽曲音声情報を取得する楽曲音声情報設定領域１５ｂと、スライドショーで再生されるコマ画像情報１３ａを表示する選択画像表示領域１５ｃと、画像情報と楽曲音声情報とスライドショープログラムと関連付けファイルとをセットで保存するスライドショー保存スイッチ１５ｄと、選択した画像情報と取得した楽曲音声情報とを用いたスライドショーを開始するスライドショー開始スイッチ１５ｅとが表示される。
【００３８】
スライドショーを実行する場合、まず、ステップＳ１０６において、顧客２はスライド表示するコマ画像情報１３ａの選択を行う。選択の方法は限定されないが、例えば、画像情報群１３の中からコマ画像情報１３ａをマウスでクリックすると、スライドショーで再生されるコマ画像情報１３ａが選択画像情報表示領域１５ｃに表示されて図６に示すような状態となる。
【００３９】
次に、ステップＳ１０７において、顧客２はスライドショーの各種設定を行う。例えば、スライドショー設定領域１５ａを操作して、各々のコマ画像情報１３ａを表示する間隔（スライド間隔）や画像情報の画面切り替え効果（スライド効果）を入力又はプルダウンメニューから選択したり、また、画像情報を繰り返して表示するか１回のみ表示するかを選択する。なお、スライドショーの設定項目は上記構成に限らず、表示するコマ画像情報１３ａに装飾を施す設定をしたり、コマ画像情報１３ａと共に表示する画像やテキストを設定する構成を追加しても良い。
【００４０】
その後、顧客２は、楽曲音声情報設定領域１５ｂを操作して、スライドショーで画像情報と共に再生される楽曲音声情報を取得する。この楽曲音声情報の取得は、コンピュータを、取得可能な楽曲音声情報の格納場所を選択可能に明示する手段と、ハードディスク等の記憶手段やＣＤ−Ｒ等の情報記録媒体から楽曲音声情報を抽出する手段と、通信ネットワークを介して楽曲音声情報を配信するサーバー８に接続する手段と、サーバー８から楽曲音声情報をダウンロードする手段として機能させる楽曲取得プログラムにより実行される。
【００４１】
具体的には、楽曲音声情報の取得方法としては、楽曲音声情報が記録されたＣＤを用いる方法と、ハードディスク等の記憶手段内の楽曲音声情報を用いる方法と、サーバーからダウンロードした楽曲音声情報を用いる方法とがあり、例えば、楽曲音声情報設定領域１５ｂの「ＣＤのＢＧＭを使う」タグをクリックすると、ＣＤ内に記録されている楽曲音声情報がプルダウンメニューに表示され、その中から所望の楽曲音声情報を選択する（ステップＳ１０８、Ｓ１１１参照）。また、スライドショーが終了するまで繰り返し演奏するのか１回演奏し終わったら終了するのかを選択する。なお、楽曲音声情報の選択に際して、試聴ボタンを設けて曲のみを聞くことができるようにすると楽曲音声情報の選択が容易となり好ましい。更に、選択可能な曲を３０秒間隔などの短い時間で切り替えていき、気に入った曲を選択できるようにしてもよい。
【００４２】
また、「他の音楽データを使う」タグをクリックすると、スライドショー編集画面１５上に、又は独立した画面として図５（ａ）に示すような楽曲音声情報の取得方法を設定する画面が表示される。この楽曲音声情報の取得方法としては、コンピュータ端末２ａのハードディスク等の記憶手段に記憶されている楽曲音声情報を使うか、図示していないが同一ＬＡＮ内に設置されているサーバーなどの外部記憶手段に記憶されている楽曲音声情報を使うか、ｗｅｂサイト（サーバー８）から楽曲音声情報をダウンロードするかを選択することができる。
【００４３】
そして、ステップＳ１０８でサーバー８から取得する方法を選択した場合は、ステップＳ１０９で、図５（ｂ）に示すようにインターネットに接続するか否かを確認する画面が表示され、ＯＫボタンを押すと、楽曲取得プログラムにより予め設定されたＵＲＬのｗｅｂサイトに自動的に接続され、顧客２はｗｅｂサイトに会員登録したり、ＩＤ／パスワードを取得して、ｗｅｂサイトの楽曲の中から所望の楽曲音声情報をダウンロードすると（図１の▲５▼）、プルダウンメニューに選択した楽曲音声情報が表示される。
【００４４】
また、ステップＳ１０８で記憶手段から取得する方法を選択した場合は、ステップＳ１１１で、ハードディスク等の記憶手段に記憶されている楽曲音声情報が表示され、その中から所望の楽曲音声情報を選択するとプルダウンメニューに選択した楽曲音声情報が表示される。その後、選択した楽曲音声情報をスライドショーが終了するまで繰り返し演奏するのか１回演奏し終わったら終了するのかを選択する。この場合においても、楽曲音声情報の選択に際して、試聴ボタンを設けて曲のみを聞くことができるようにすると楽曲音声情報の選択が容易となり好ましい。
【００４５】
なお、ステップＳ１０６のコマ画像情報１３ａの選択と、ステップＳ１０７のスライドショーの設定と、ステップＳ１０８〜Ｓ１１０の楽曲音声情報の設定は必ずしもこの順で行う必要はなく、任意の順番で行うことができる。また、例えば、スライドショーの設定に関してはデフォルトとして設定された条件でよい場合はＳ１０７のスライドショーの設定ステップを省略することもできる。
【００４６】
そして、画像情報の選択とスライドショーの設定と楽曲音声情報の取得とが終了した後、スライドショー開始スイッチ１５ｅを押すと、選択した画像情報と取得した楽曲音声情報とを用いたスライドショーが実行される。このスライドショーでは取得した楽曲音声情報を単なるＢＧＭとして演奏しても良いが、スライドショーの効果を高めるために画像情報と楽曲音声情報とを関連付けて再生することができるスライドショープログラムを用いることが好ましい。
【００４７】
このようなスライドショープログラムとしては、本願発明者の先願（特願２００２−１３７８９号）において開示したプログラムが好適である。このプログラムは、コンピュータを、楽曲音声情報の演奏時間を演算する処理や楽曲音声情報のテンポ、フレーズ、音声データ、休止符を抽出する処理、画像情報の表示タイミングを設定する処理等を行う楽曲音声情報分析手段や、画像情報から特定の形状や色彩を抽出する処理、画像情報の特徴を参照して画像情報に適した楽曲音声情報を選択する処理等を行う画像情報分析手段として機能させることができる。
【００４８】
そして、例えば、楽曲音声情報の形式やサイズ、ヘッダ情報等から楽曲音声情報の演奏時間を抽出し、その演奏時間を表示する画像情報の数で割って１画像情報当たりの表示時間を演算し、楽曲音声情報の演奏終了と同時に画像情報の表示が終了するようにしたり、複数の楽曲音声情報の演奏終了と同時に画像情報の表示が終了するようにスライドショーを設定することができる。
【００４９】
また、楽曲音声情報の強弱、周波数等から楽曲音声情報のテンポを抽出し、楽曲音声情報のテンポに合わせてスライド効果の時間（例えば、フェードイン／フェードアウトの時間）を設定し、テンポの速い楽曲の場合はスライド効果を早くし、逆にテンポの遅い楽曲の場合はスライド効果の時間を長くして、楽曲のテンポとスライド効果との整合を図ることもできる。
【００５０】
また、楽曲音声情報の強弱、周波数等から楽曲音声情報の音声データや休止符を抽出して楽曲をフレーズ毎に分割し、例えば、１フレーズに１枚の画像情報が表示されるようにスライドショーを設定することもでき、楽曲音声情報のフレーズと画像情報の表示とを同期させることにより、楽曲と画像との一体感が生まれ、スライドショーの効果を高めることもできる。
【００５１】
このように、顧客２はスライドショーの画面に従って操作するのみで、顧客２が提供した未現像ネガフィルム６から読み取った画像情報と楽曲取得プログラムを用いて取得した好みの楽曲音声情報とをスライドショープログラムにより効果的に再生することができる。また、このように効果的に表示されるスライドショーをセットとしてハードディスクや他の情報記録媒体に保存したり、電子メールに添付して知人、友人等に送信することもできる。
【００５２】
例えば、図６に示すように、スライドショー編集画面１５にはスライドショーをセットとして保存するスライドショー保存スイッチ１５ｄが設けられており、このスイッチを押すとセット出力プログラムが動作する。このセット出力プログラムは、保存先を選択可能に明示する手段と、スライドショーの関連付けファイルを作成する手段と、保存先に保存フォルダーを作成して画像情報と楽曲音声情報とスライドショープログラムと関連付けファイルとをセットとして出力する手段として機能させるものである。また、上記手段に加えて、これらのセットデータをリサイズ、圧縮して電子メールに添付して送信する手段として機能させてもよい。
【００５３】
この関連付けファイルとは、スライドショーで再生する画像情報及び楽曲音声情報のパス情報、スライド表示順、スライド間隔、スライド効果等のスライドショーの設定情報等が記録されたファイルであり、関連付けファイルを作成することにより、一旦コンピュータ端末２ａで再生した時と同じ設定でスライドショーを再生することが可能となる。
【００５４】
具体的には、ステップＳ１１３でセット保存スイッチ１５ｄを押すと保存先を選択する画面が表示され、ステップＳ１１４で保存先を設定すると、ステップＳ１１５でスライドショーの関連付けファイルが作成されて、ステップＳ１１６でスライドショー保存フォルダー内に画像情報と楽曲音声情報とスライドショープログラムと関連付けファイルとがセットとなって保存される。
【００５５】
また、保存先をブランクのＣＤ−ＲやＤＶＤ−Ｒ等の他の情報記録媒体に設定すると、コンピュータ端末２ａで再生した時と同じ設定でスライドショーを再生することができる再生専用情報記録媒体５ａを作成することができ、この再生専用情報記録媒体５ａを知人、友人等の他の顧客１０にプレゼントすることができる（図１の▲６▼）。
【００５６】
なお、保存先を元の情報記録媒体５に設定すると、情報記録媒体５に楽曲音声情報と関連付けファイルのみが追記される構成としたり、電子メールのボタンを設け、送信先のアドレスを入力すると、画像情報と楽曲音声情報とスライドショープログラムと関連付けファイルとがリサイズ、圧縮されて電子メールに添付して送信される機能を設ける構成とすることもできる。
【００５７】
なお、これらのデータ、プログラム、ファイルのフォルダー構造は、例えば図７及び図８に示すようになる。図７は、専用アプリケーションプログラムを情報記録媒体５で直接動作させる場合を示しており、情報記録媒体５にはアプリケーションデータ格納フォルダーとフィルム毎の画像データ（拡張子がｊｐｇのデータ）格納フォルダーとが設けられている。そして、顧客２が保有する楽曲音声情報の保管場所やサーバー８からダウンロードした楽曲音声情報の格納場所から楽曲音声データ（拡張子がｍｐ３のデータ）が取り込まれ、これらからスライドショー保存フォルダーが作成され、スライドショープログラムと画像データと楽曲音声データと関連付けファイル（拡張子がｓｈｏのファイル）とが図に示すような構造で保存される。
【００５８】
また、図８は、アプリケーションプログラムをコンピュータ端末２ａに展開して動作させる場合を示しており、この場合は、情報記録媒体５にはアプリケーションプログラムを圧縮したファイルを格納するフォルダーとフィルム毎の画像データ格納フォルダーとが設けられており、同様に、顧客２が保有する楽曲音声情報の保管場所やサーバー８からダウンロードした楽曲音声データの格納場所から楽曲音声情報が取り込まれ、これらからスライドショー保存フォルダーが作成され、スライドショープログラムと画像データと楽曲音声データと関連付けファイルとが図に示すような構造で保存される。
【００５９】
このように、顧客２が注文店舗３に未現像ネガフィルム６を持ち込むと、ラボ４では未現像ネガフィルム６から読み取った画像情報と、スライドショープログラムと楽曲取得プログラムとセット出力プログラムの専用アプリケーションプログラムとが情報記録媒体５に記録されて顧客２に提供されるため、顧客２はコンピュータ端末２ａを用いて一連の操作として楽曲音声情報を取得したり、画像情報と楽曲音声情報とスライドショープログラムと関連付けファイルとをセットにして出力することができ、簡便に好みの楽曲がＢＧＭとして演奏されるスライドショーを楽しむことができる。
【００６０】
［実施例２］
次に、本発明の第２の実施例に係る画像音声記録システム、画像音声記録方法及び画像音声記録端末並びに情報記録媒体について、図９乃至図１１を参照して説明する。図９は、第２の実施例に係る画像音声記録システムの構成を示す図であり、図１０は、注文店舗に設置される画像音声記録端末の構成を示す図である。また、図１１は、画像音声記録方法の手順を示すフローチャート図である。
【００６１】
前記した第１の実施例では、楽曲音声情報の取得を情報記録媒体５を受け取った顧客２のコンピュータ端末２ａで行う構成としたが、コンピュータ端末２ａが通信ネットワーク９に接続されていない場合には好みの楽曲音声情報を取得できない場合もある。そこで、本実施例では注文店舗３内に画像音声記録端末を設け、この画像音声記録端末で楽曲音声情報の取得を行うことを特徴としている。
【００６２】
図９に示すように、本実施例の画像音声記録システム１ｂは、画像情報が記録された情報記録媒体１１ａや画像が印刷されたプリント１１ｂを提供する顧客２と、情報記録媒体１１ａやプリント１１ｂから画像情報を読み取り、顧客２に楽曲音声情報を選択させて情報記録媒体５に記録する画像音声記録端末１６を備えたコンビニ等の注文店舗３とから構成される。なお、画像音声記録端末１６は通信ネットワーク９を介して楽曲音声情報を配信するサーバー８に接続されており、また、顧客２は情報記録媒体５を用いたスライドショーを表示させるコンピュータ端末２ａを有し、コンピュータ端末２ａで新たに作成された再生専用情報記録媒体５ａが他の顧客１０に提供される。
【００６３】
また、図１０に示すように、画像音声記録端末１６には、顧客２が持ち込んだ情報記録媒体１１ａから画像情報を読み取る媒体読み取り手段１６ａと、顧客２が持ち込んだプリント１１ｂから画像情報を読み取るプリント読み取り手段１６ｂと、楽曲の表示、選択を行う表示・操作手段１６ｃと、通信ネットワーク９を介してサーバー８と通信する通信手段１６ｄと、読み取った画像情報と選択した楽曲音声情報と専用アプリケーションプログラム（スライドショープログラム、セット出力プログラム）とを情報記録媒体５に記録する書き込み手段１６ｅと、楽曲音声情報や専用アプリケーションプログラムを記憶する記憶手段１６ｆとを備えている。
【００６４】
上記構成の画像音声記録システム１ｂを用いて、顧客２が注文店舗３に情報記録媒体１１ａやプリント１１ｂを持ち込んでから、画像情報と楽曲音声情報と専用アプリケーションプログラムが一緒に書き込まれた情報記録媒体５を入手し、スライドショーに必要なデータ及びプログラムをセットで出力するまでの手順について、図１１のフローチャート図を参照して説明する。
【００６５】
まず、ステップＳ２０１において、顧客２はデジタルカメラで撮影した画像情報が記録されたコンパクトフラッシュ（登録商標）やスマートメディア、メモリースティック（登録商標）、マルチメディアカード、ＳＤメモリーカードなどのメモリーカードやＣＤ−Ｒなどの情報記録媒体１１ａや画像情報が印刷されたプリント１１ｂをコンビニ等の注文店舗３に持ち込み（図９の▲１▼）、情報記録媒体５の注文を行う。
【００６６】
次に、ステップＳ２０２において、画像音声記録端末１６では、情報記録媒体１１ａが挿入された場合には、媒体読み取り手段１６ａを用いて情報記録媒体１１ａから画像情報を読み取り、プリント１１ｂが挿入された場合にはスキャナ等のプリント読み取り手段１６ｂを用いてプリント１１ｂから画像情報を読み取る。なお、この媒体読み取り手段１６ａは各種デジタルカメラに装着可能なメディアやＣＤ−Ｒ、ＤＶＤ−Ｒに対応可能に構成されていることが好ましく、また、ケーブルを用いてデジタルカメラに接続可能な端子を備える構成とすることもできる。
【００６７】
次に、画像音声記録端末１６では、情報記録媒体１１ａやプリント１１ｂから読み取った画像情報を表示・操作手段１６ｃに表示し、顧客２は、表示された画像情報の中からスライドショーに用いる画像情報の選択を行い、ステップＳ２０４でスライドショーに表示する順序を設定する。この画像情報の選択、表示順の設定方法は任意であり、例えば、全画像情報の中から画像情報を選択した後に表示順を設定する方法としても、全画像情報の中から画像情報を選択した順が表示順として設定される方法としてもよい。
【００６８】
画像情報の選択が終了すると、画像音声記録端末１６の表示・操作手段１６ｃに、楽曲音声情報の取得方法を選択する画面が表示される。例えば、顧客２は画像音声記録端末１６の記憶手段１６ｆ内に記憶されている楽曲音声情報の中から選択するか、又は通信ネットワーク９に接続して楽曲音声情報を配信するサーバー８からダウンロードするかを選択することができる。
【００６９】
そして、ステップＳ２０５で記憶手段１６ｆの中から選択する場合には、表示・操作手段１６ｃに記憶手段１６ｆに記憶されている楽曲の一覧が表示され、顧客２はその中から好みの楽曲を選択する。また、この一覧の中に好みの楽曲がない場合には、ステップ２０６で通信手段１６ｄにより通信ネットワーク９を介して予め設定されたＵＲＬのサーバー８に自動的に接続され、顧客２はｗｅｂサイトに会員登録したりＩＤ／パスワードを取得するにより、サーバー８から配信可能な楽曲音声情報の一覧が送信される。そして、ステップＳ２０７で顧客２はその中から所望の楽曲音声情報を選択してダウンロードする（図９の▲２▼）。
【００７０】
その後、ステップＳ２０９で、楽曲選択端末１６では、読み取った画像情報と取得した楽曲音声情報と専用アプリケーションプログラム（スライドショープログラム、セット出力プログラム）のセットに対して行う処理を選択する画面が表示される。この処理としては、例えば、これらのセット情報をＣＤ−Ｒ等の情報記録媒体５に記録する処理、顧客２が持ち込んだ情報記録媒体に記録する処理、所定のアップロード先にアップロードする処理、電子メールに添付して送信する処理等が含まれる。
【００７１】
例えば、ＣＤ−Ｒ等の情報記録媒体５に記録する処理を選択すると、画像音声記録端末１６は、ステップＳ２１０で書き込み手段１６ｅを用いてブランクの情報記録媒体５に画像情報と取得した楽曲音声情報とスライドショープログラムとセット出力プログラムとを書き込み、顧客２が持ち込んだ情報記録媒体に書き込む場合は、ステップＳ２１１で情報記録媒体の挿入を指示し、ステップＳ２１２でこれらのセット情報を顧客２の情報記録媒体に書き込む。
【００７２】
また、アップロードを選択すると、ステップＳ２１３でアップロード先を指定する画面が表示され、アップロード先を入力すると、ステップＳ２１４でこのアップロード先にセットデータがアップロードされる。また、電子メールを選択すると、ステップＳ２１５、Ｓ２１６で宛先や本文を入力する画面が表示され、宛先や本文を入力するとセット情報がリサイズ又は圧縮されて、ステップＳ２１７で指定した宛先に添付ファイルとして送信される。
【００７３】
そして、ステップＳ２１８で注文店舗３は情報記録媒体５と顧客２が持ち込んだ情報記録媒体１１ａ又はプリント１１ｂとを顧客２に提供し（図９の▲３▼）、情報記録媒体５を受け取った顧客２は、自宅のコンピュータ端末２ａを用いてスライドショーを実行し、セット出力プログラムを用いて画像情報と楽曲音声情報とスライドショープログラムと関連付けファイルとをセットとして掃き出して再生専用情報記録媒体５ａを作成したり（図９の▲４▼）、ハードディスク等に記憶したり、電子メールに添付して送信することができる。
【００７４】
このように、本実施例の画像音声記録システム１ｂでは、注文店舗３に画像音声記録端末１６を設け、この端末で情報記録媒体１１ａやプリント１１ｂから画像情報を読み取り、又、記憶手段１６ｆやサーバー８で取得した楽曲音声情報やスライドショープログラム、セット出力プログラムと共に情報記録媒体５に記録するため、コンピュータ端末２ａが通信ネットワーク９に接続されていない顧客２であっても、簡単に好みの楽曲音声情報を取得することができる。また、コンピュータ端末２ａを用いて画像情報と楽曲音声情報とスライドショープログラムと関連付けファイルとをセットとして出力することができ、セット情報をコンピュータ端末２ａの記憶手段に記憶したり、再生専用情報記録媒体５ａを作成したり、電子メールに添付して送信することができる。
【００７５】
【発明の効果】
以上説明したように、本発明の画像音声記録端末及び情報記録媒体並びにプログラムによれば下記記載の効果を奏する。
【００７６】
本発明の第１の効果は、スライドショーに際して再生される楽曲音声情報を簡単に取得することができるということである。
【００７７】
その理由は、情報記録媒体に画像情報と楽曲音声情報とスライドショープログラムに加えて、楽曲取得プロラムを書き込むことによって、スライドショーの一連の操作として、ネットワークで見える場所から楽曲音声情報を取得することができるからである。また、コンビニ等の注文店舗に、楽曲取得機能を備えた画像音声記録端末を設け、該端末で同様に好みの楽曲音声情報を取得することができるからである。
【００７８】
本発明の第２の効果は、スライドショーの実行に際して、画像情報や楽曲音声情報の選択、スライドショーの設定等を行うことなく、スライドショーを楽しむことができるということである。
【００７９】
その理由は、情報記録媒体にセット出力プログラムを記録し、セット出力プログラムではスライドショーの関連付けファイルを作成して画像情報と楽曲音声情報とスライドショープログラムと共にセットとして出力するからである。
【図面の簡単な説明】
【図１】本発明の第１の実施例に係る画像音声記録システムの構成を示す図である。
【図２】本発明の第１の実施例に係る画像音声記録方法の手順を示すフローチャート図である。
【図３】コンピュータ端末で表示される画面構成例（画像一覧表示画面）を示す図である。
【図４】コンピュータ端末で表示される画面構成例（スライドショー編集画面）を示す図である。
【図５】コンピュータ端末で表示される画面構成例（楽曲取得画面）を示す図である。
【図６】コンピュータ端末で表示される画面構成例（スライドショー編集画面）を示す図である。
【図７】第１の実施例に係る画像音声記録システムでセット保存されるデータの階層構造を示す図である。
【図８】第１の実施例に係る画像音声記録システムでセット保存されるデータの階層構造を示す図である。
【図９】本発明の第２の実施例に係る画像音声記録システムの構成を示す図である。
【図１０】本発明の第２の実施例に係る画像音声記録端末の構成を示すブロック図である。
【図１１】本発明の第２の実施例に係る画像音声記録方法の手順を示すフローチャート図である。
【符号の説明】
１  画像音声記録システム
２  顧客
２ａ  コンピュータ端末
３  注文店舗
４  ラボ
４ａ  現像装置
４ｂ  読み取り装置
４ｃ  書き込み装置
４ｄ  記憶装置
５  情報記録媒体
６  未現像ネガフィルム
７  現像済みネガフィルム
８  サーバー
９  通信ネットワーク
１０  他の顧客
１１  情報記録媒体
１２  画像一覧表示画面
１３  画像情報群
１３ａ  コマ画像情報
１４ａ〜１４ｆ  スイッチ
１５  スライドショー編集画面
１５ａ  スライドショー設定領域
１５ｂ  ＢＧＭ設定領域
１５ｃ  選択画像表示領域
１５ｄ  セット保存スイッチ
１５ｅ  スライドショー開始スイッチ
１６  画像音声記録端末
１６ａ  情報記録媒体読み込み手段
１６ｂ  プリント読み取り手段
１６ｃ  表示・操作手段
１６ｄ  通信手段
１６ｅ  書き込み手段
１６ｆ  記憶手段
【図１】
0004210465.tif 000002
【図２】
0004210465.tif 000003
【図３】
0004210465.tif 000004
【図４】
0004210465.tif 000005
【図５】
0004210465.tif 000006
【図６】
0004210465.tif 000007
【図７】
0004210465.tif 000008
【図８】
0004210465.tif 000009
【図９】
0004210465.tif 000010
【図１０】
0004210465.tif 000011
【図１１】
0004210465.tif 000012